(57)【要約】【課題】  作業時間の増加や大型化を来たすことなく音質の向上を図る。【解決手段】  内部にアンプとアンプによって増幅された音声が出力される音声出力部８、９とが配置され一部が配置孔５ｂを有するパネル部５として設けられた筐体２と、筐体の内部においてパネル部の内面に対向して配置されパネル部に対向する対向面１２ｂにスイッチ１３が搭載された電子基板１２と、所定の機能を実行するために操作される操作釦１８とを設け、操作釦がゴム材料によって形成され電子基板の対向面に配置された装着部１９と装着部に結合されパネル部の配置孔に配置された釦部２０とを有し、操作釦の釦部が操作されたときに装着部が弾性変形されて釦部がスイッチを押圧して所定の機能が実行され、操作釦の装着部がパネル部の内面と電子基板の対向面とに密着されるようにした。【選択図】        図６
2012054748.tif 000002
【特許請求の範囲】
【請求項１】
内部にアンプと前記アンプによって増幅された音声が出力される音声出力部とが配置され一部が配置孔を有するパネル部として設けられた筐体と、
前記筐体の内部において前記パネル部の内面に対向して配置され前記パネル部に対向する対向面にスイッチが搭載された電子基板と、
所定の機能を実行するために操作される操作釦とを備え、
前記操作釦がゴム材料によって形成され前記電子基板の対向面に配置された装着部と前記装着部に結合され前記パネル部の配置孔に配置された釦部とを有し、
前記操作釦の釦部が操作されたときに前記装着部が弾性変形されて前記釦部が前記スイッチを押圧して前記所定の機能が実行され、
前記操作釦の装着部が前記パネル部の内面と前記電子基板の対向面とに密着されるようにした
アクティブスピーカー。
【請求項２】
前記パネル部に表示用孔が形成され、
前記操作釦に、前記装着部に連続し前記表示用孔に挿入されて配置される表示部が前記装着部と一体に設けられ、
前記表示部が透明又は半透明に形成された
請求項１に記載のアクティブスピーカー。
【請求項３】
前記操作釦の表示部が前記パネル部の内面と前記電子基板の対向面とに密着されるようにした
請求項２に記載のアクティブスピーカー。
【請求項４】
前記操作釦の釦部と装着部が一体に形成された
請求項１に記載のアクティブスピーカー。
【請求項５】
前記装着部が複数連結され前記各装着部にそれぞれ前記釦部が結合された操作体を設けた
請求項１に記載のアクティブスピーカー。
【請求項６】
前記パネル部と前記電子基板が同一の方向へ延びる形状に形成され、
前記操作釦が複数設けられ前記複数の操作釦が前記パネル部と前記電子基板の長手方向に離隔して配置された
請求項１に記載のアクティブスピーカー。
【発明の詳細な説明】
【技術分野】
【０００１】
本発明はアクティブスピーカーについての技術分野に関する。詳しくは、操作釦にゴム材料によって形成された装着部を設け装着部が対向して位置されたパネル部の内面と電子基板の対向面とに密着されるようにして筐体の内部空間の密閉性の向上等による音質の向上を図る技術分野に関する。
【背景技術】
【０００２】
内部にアンプが配置されたアクティブスピーカーには、例えば、電源のオンオフや音量の調整等を行うための操作釦が配置されている（例えば、特許文献１参照）。
【０００３】
操作釦は筐体の内部に設けられた電子基板上に配置され、電子基板にはスイッチが搭載されている。操作釦は電子基板上にスイッチの押圧が可能な状態で配置され、操作釦の一部は筐体に形成された配置孔に配置されている。従って、操作釦が操作されると操作釦によってスイッチが押圧されて電源のオンオフや音量の調整等の所定の機能が実行される。
【０００４】
ところで、アクティブスピーカーにおいては、音質の向上、特に、音質の高い低音が出力されることが望ましい。音質の向上には、筐体の内部空間における密閉性の向上を図る必要があるが、筐体に形成された配置孔が筐体の内部空間に連通されているため、配置孔の存在によって密閉性が低下するおそれがある。また、音質の向上を図るためには、筐体の内部空間の体積（容積）を大きくする必要がある。さらに、音声の出力時には音圧による振動が発生するが、この振動も音質の向上の妨げとなるため、振動の抑制を図る必要もある。
【０００５】
そこで、従来のアクティブスピーカーにあっては、筐体と電子基板の隙間に接着剤を塗布したり筐体と操作釦の間に不織布（クッション）を貼付して筐体の内部空間における密閉性の向上や振動の抑制を図るようにしている。
【０００６】
また、従来のアクティブスピーカーにあっては、筐体の内部空間における密閉性の向上を図るために、筐体の内部に仕切りを設け筐体の内部空間を二重構造として構成したものもある。
【０００７】
【特許文献１】特開平１１−３４１５７５号公報
【発明の開示】
【発明が解決しようとする課題】
【０００８】
ところが、筐体と電子基板や操作釦との間に接着剤を塗布したり不織布を貼付した従来のアクティブスピーカーにおいては、電子基板上に操作釦を配置した後に、接着剤の塗布作業や不織布の貼付作業を行う必要がある。従って、操作釦を配置した後に別の作業が必要であり、アクティブスピーカーの製造工程における作業時間が長くなると言う問題がある。このような作業は操作釦が複数配置されている場合には、操作釦の数に応じた分の作業を行う必要が生じるため、一層の作業時間の増加を来たしてしまう。
【０００９】
また、筐体の内部空間を二重構造として構成した従来のアクティブスピーカーにおいては、仕切りを設けることにより密閉性が向上するが、二重構造とする分、密閉した空間が小さくなってしまい、密閉した空間の十分な体積が確保できなくなってしまう。従って、仕切りを設けて二重構造とした場合には、音質の向上を図るために密閉した空間を大きくする必要があり、その分、アクティブスピーカーの全体を大きくする必要が生じ大型化を来たしてしまうと言う問題がある。
【００１０】
そこで、本発明アクティブスピーカーは、上記した問題点を克服し、作業時間の増加や大型化を来たすことなく音質の向上を図ることを課題とする。
【課題を解決するための手段】
【００１１】
アクティブスピーカーは、上記した課題を解決するために、内部にアンプと前記アンプによって増幅された音声が出力される音声出力部とが配置され一部が配置孔を有するパネル部として設けられた筐体と、前記筐体の内部において前記パネル部の内面に対向して配置され前記パネル部に対向する対向面にスイッチが搭載された電子基板と、所定の機能を実行するために操作される操作釦とを備え、前記操作釦がゴム材料によって形成され前記電子基板の対向面に配置された装着部と前記装着部に結合され前記パネル部の配置孔に配置された釦部とを有し、前記操作釦の釦部が操作されたときに前記装着部が弾性変形されて前記釦部が前記スイッチを押圧して前記所定の機能が実行され、前記操作釦の装着部が前記パネル部の内面と前記電子基板の対向面とに密着されるようにしたものである。
【００１２】
従って、アクティブスピーカーにあっては、操作釦の装着部がパネル部の内面と電子基板の対向面とに密着されて筐体の内部空間が密閉される。
【００１３】
上記したアクティブスピーカーにおいては、前記パネル部に表示用孔が形成され、前記操作釦に、前記装着部に連続し前記表示用孔に挿入されて配置される表示部が前記装着部と一体に設けられ、前記表示部が透明又は半透明に形成されることが望ましい。
【００１４】
操作釦に、装着部に連続し表示用孔に挿入されて配置される表示部が装着部と一体に設けられ、表示部が透明又は半透明に形成されることにより、操作釦とは別の専用の表示部が不要となる。
【００１５】
上記したアクティブスピーカーにおいては、前記操作釦の表示部が前記パネル部の内面と前記電子基板の対向面とに密着されることが望ましい。
【００１６】
操作釦の表示部がパネル部の内面と電子基板の対向面とに密着されることにより、操作釦の表示部がパネル部の内面と電子基板の対向面とに密着されて筐体の内部空間が密閉される。
【００１７】
上記したアクティブスピーカーにおいては、前記操作釦の釦部と装着部が一体に形成されることが望ましい。
【００１８】
操作釦の釦部と装着部が一体に形成されることにより、釦部と装着部の各別の形成が不要となる。
【００１９】
上記したアクティブスピーカーにおいては、前記装着部が複数連結され前記各装着部にそれぞれ前記釦部が結合された操作体を設けることが望ましい。
【００２０】
装着部が複数連結され各装着部にそれぞれ釦部が結合された操作体を設けることにより、複数の釦部の各別の形成が不要となる。
【００２１】
上記したアクティブスピーカーにおいては、前記パネル部と前記電子基板が同一の方向へ延びる形状に形成され、前記操作釦が複数設けられ前記複数の操作釦が前記パネル部と前記電子基板の長手方向に離隔して配置されることが望ましい  操作釦が複数設けられ複数の操作釦がパネル部と電子基板の長手方向に離隔して配置されることにより、電子基板の長手方向における傾きの発生が抑制される。
【発明の効果】
【００２２】
本発明アクティブスピーカーは、内部にアンプと前記アンプによって増幅された音声が出力される音声出力部とが配置され一部が配置孔を有するパネル部として設けられた筐体と、前記筐体の内部において前記パネル部の内面に対向して配置され前記パネル部に対向する対向面にスイッチが搭載された電子基板と、所定の機能を実行するために操作される操作釦とを備え、前記操作釦がゴム材料によって形成され前記電子基板の対向面に配置された装着部と前記装着部に結合され前記パネル部の配置孔に配置された釦部とを有し、前記操作釦の釦部が操作されたときに前記装着部が弾性変形されて前記釦部が前記スイッチを押圧して前記所定の機能が実行され、前記操作釦の装着部が前記パネル部の内面と前記電子基板の対向面とに密着されるようにしている。
【００２３】
従って、筐体の内部空間における密閉性の向上や振動の抑制を図るために、筐体と電子基板の隙間に接着剤を塗布したり筐体と操作釦の間に不織布等のクッションを貼付する必要がなく、作業時間の増加を来たすことなく音質の向上を図ることができる。
【００２４】
また、音声の出力時に発生する振動が装着部によって抑制されるため、音質の一層の向上を図ることができる。
【００２５】
さらに、装着部がパネル部の内面と電子基板の対向面とに密着されることにより筐体の内部空間が密閉されるため、筐体の内部空間を二重構造とする必要がなく、アクティブスピーカーの大型化を来たすことなく音質の向上を図ることができる。
【００２６】
請求項２に記載した発明にあっては、前記パネル部に表示用孔が形成され、前記操作釦に、前記装着部に連続し前記表示用孔に挿入されて配置される表示部が前記装着部と一体に設けられ、前記表示部が透明又は半透明に形成されている。
【００２７】
従って、操作釦とは別の専用の表示部を設ける必要がなく、部品点数の削減及びアクティブスピーカーの構造の簡素化を図ることができる。
【００２８】
請求項３に記載した発明にあっては、前記操作釦の表示部が前記パネル部の内面と前記電子基板の対向面とに密着されるようにしている。
【００２９】
従って、筐体の内部空間の一層の密閉性の向上を図ることができる。
【００３０】
請求項４に記載した発明にあっては、前記操作釦の釦部と装着部が一体に形成されている。
【００３１】
従って、部品点数の削減を図ることができると共に釦部の装着部に対する結合作業が不要となり製造コストの低減を図ることができる。
【００３２】
請求項５に記載した発明にあっては、前記装着部が複数連結され前記各装着部にそれぞれ前記釦部が結合された操作体を設けている。
【００３３】
従って、複数の操作釦をそれぞれ単一で形成する必要がなく、部品点数の削減及び成形性の向上を図ることができる。
【００３４】
請求項６に記載した発明にあっては、前記パネル部と前記電子基板が同一の方向へ延びる形状に形成され、前記操作釦が複数設けられ前記複数の操作釦が前記パネル部と前記電子基板の長手方向に離隔して配置されている。
【００３５】
従って、電子基板の長手方向における傾きの発生が抑制され、電子基板の傾きによる振動の発生を防止することができる。
【発明を実施するための最良の形態】
【００３６】
以下に、本発明アクティブスピーカーを実施するための最良の形態を添付図面に従って説明する。
【００３７】
以下に示した最良の形態は、本発明をデジタルミュージックプレイヤー（ＤＭＰ）が装着され装着されたＤＭＰの音声を出力するアクティブスピーカーに適用したものである。
【００３８】
但し、本発明の適用範囲はＤＭＰの音声を出力するアクティブスピーカーに限られることはなく、内部にアンプとアンプによって増幅された音声が出力される音声出力部（スピーカー部）とが配置された他の各種のアクティブスピーカーに広く適用することができる。
【００３９】
以下の説明においては、アクティブスピーカーの音声出力部（スピーカー部）が向く方向を前方として上下前後左右の方向を示す。
【００４０】
尚、以下に示す上下前後左右の方向は、説明の便宜上示すものであり、本発明はこれらの方向に限定して適用されることはない。
【００４１】
［アクティブスピーカーの構造］
アクティブスピーカー１は筐体２と化粧板３を備えている（図１及び図２参照）。
【００４２】
筐体２は本体ケース４とパネル部５によって構成されている。
【００４３】
本体ケース４は横長の形状に形成され、例えば、上面部６及び下面部が舟型にされ、左右方向における中央の前後の幅が最大とされている。本体ケース４の前面部７にはグリルネット７ａが形成されている。
【００４４】
本体ケース４の内部には左右に離隔して第１の音声出力部（スピーカー部）８、８が配置されている（図１乃至図３参照）。本体ケース４の内部には音声の通り道となる図示しない音道が形成され、第１の音声出力部８、８間に音道に繋がるバスレフと称される第２の音声出力部９が配置されている。第２の音声出力部９は低音を増強する機能を有している。
【００４５】
本体ケース４の内部には、例えば、下端寄りの位置にメイン基板１０が配置されている。メイン基板１０にはアンプとして機能する増幅回路が形成されている。
【００４６】
本体ケース４の上面部６には左右方向における中央部に連通孔６ａが形成されている（図２参照）。
【００４７】
パネル部５は本体ケース４の上面部６と略同じ大きさ及び同じ形状に形成され、左右方向における中央部に上方に開口された配置用穴５ａを有している。配置用穴５ａにはコネクター１１が配置されている。
【００４８】
パネル部５には配置用穴５ａの左右にそれぞれ円形の第１の配置孔５ｂ、５ｂ、５ｂと第２の配置孔５ｃ、５ｃが形成されている。パネル部５には、第１の配置孔５ｂ、５ｂ、５ｂの後方にそれぞれ第１の表示用孔５ｄ、５ｄ、５ｄが形成され、第２の配置孔５ｃの側方に第２の表示用孔５ｅが形成されている。
【００４９】
化粧板３は本体ケース４の上面部６と略同じ大きさ及び形状に形成され、図１及び図２に示すように、左右方向における中央部に上方に開口された装着用穴３ａを有している。装着用穴３ａの底面部にはコネクター挿通孔３ｂが形成されている。
【００５０】
化粧板３には装着用穴３ａの左右にそれぞれ円形の第１の挿通孔３ｃ、３ｃ、３ｃと第２の挿通孔３ｄ、３ｄが形成されている。化粧板３には、第１の挿通孔３ｃ、３ｃ、３ｃの後方にそれぞれ表示用挿通孔３ｅ、３ｅ、３ｅが形成され、第２の挿通孔３ｄの側方に表示用挿通孔３ｆが形成されている。
【００５１】
本体ケース４における上面部６の上面には電子基板１２が取り付けられる（図２及び図３参照）。電子基板１２は上面部６と略同じ大きさ及び同じ形状に形成されている。
【００５２】
電子基板１２の左右方向における中央部には挿入孔１２ａが形成され（図２参照）、挿入孔１２ａは上面部６の連通孔６ａと同じ大きさ及び同じ形状に形成されている。電子基板１２の上面はパネル部５の内面（下面）５ｆに対向する対向面１２ｂとして形成されている。
【００５３】
電子基板１２の対向面１２ｂには挿入孔１２ａの左右にそれぞれ第１のスイッチ１３、１３、１３と第２のスイッチ１４、１４が搭載されている。電子基板１２の対向面１２ｂには、第１のスイッチ１３、１３、１３の後方にそれぞれ第１の発光体１５、１５、１５が搭載され、第２のスイッチ１４の側方に第２の発光体１６が搭載されている。第１の発光体１５、１５、１５と第２の発光体１６としては、例えば、発光ダイオード（ＬＥＤ）が用いられている。
【００５４】
電子基板１２には挿入孔１２ａの左側に第１の操作体１７が配置される。第１の操作体１７は左右方向において連結された三つの操作釦１８、１８、１８を有している（図４及び図５参照）。
【００５５】
操作釦１８は装着部１９と釦部２０を有している。
【００５６】
装着部１９はゴム材料、例えば、透明又は半透明のシリコンゴムによって形成されている。装着部１９は、略円板状のベース部１９ａと、ベース部１９ａの外周寄りの部分から上方へ突出されたリブ部１９ｂと、ベース部１９ａにおけるリブ部１９ｂの内側の部分から上方へ突出された周面部１９ｃと、周面部１９ｃの上端部から内方へ張り出された内フランジ部１９ｄとから成る。装着部１９には内フランジ部１９ｄの内側に突部挿通孔１９ｅが形成されている。
【００５７】
装着部１９、１９、１９のベース部１９ａ、１９ａ、１９ａからはそれぞれ突部２１、２１、２１が後方へ向けて突出されている。
【００５８】
突部２１、２１、２１の上面又は先端面からはそれぞれ上方へ向けて表示部２２、２２、２２が突出されている。表示部２２は台座部２２ａと台座部２２ａの上面における外周部を除いた部分から上方へ突出された表示用突部２２ｂとから成る。表示用突部２２ｂは上方へ行くに従って径が小さくなる円錐台形状に形成されている。
【００５９】
装着部１９、１９、１９はそれぞれベース部１９ａ、１９ａ、１９ａが左右方向において連結部２３、２３によって連結されている。最も左側と最も右側に位置する装着部１９、１９のベース部１９ａ、１９ａからはそれぞれ連結部２３、２３と同じ厚みを有する突状部２４、２４が側方へ向けて突出されている。
【００６０】
装着部１９の内部には下方に開口された第１の空間１９ｆが形成され、表示部２２の内部には下方に開口された第２の空間２２ｃが形成されている（図６参照）。
【００６１】
装着部１９、１９、１９、突部２１、２１、２１、表示部２２、２２、２２、連結部２３、２３及び突状部２４、２４は一体に形成され、ゴム材料、例えば、透明又は半透明のシリコンゴムによって形成されている。
【００６２】
釦部２０は、例えば、樹脂材料によって形成され、図４乃至図６に示すように、円板状の被操作部２０ａと被操作部２０ａの外周部から下方へ突出された周状部２０ｂと周状部２０ｂの下端部から外方へ張り出されたフランジ部２０ｃと被操作部２０ａの中央部から下方へ突出された押圧突部２０ｄとから成る。
【００６３】
釦部２０、２０、２０はそれぞれフランジ部２０ｃ、２０ｃ、２０ｃの下面が装着部１９、１９、１９のベース部１９ａ、１９ａ、１９ａにおけるリブ部１９ｂ、１９ｂ、１９ｂの内側の部分の上面に、例えば、接着されることにより結合される（図６参照）。釦部２０、２０、２０がそれぞれ装着部１９、１９、１９に結合された状態においては、釦部２０、２０、２０の押圧突部２０ｄ、２０ｄ、２０ｄがそれぞれ装着部１９、１９、１９の突部挿通孔１９ｅ、１９ｅ、１９ｅから下方へ突出される。
【００６４】
上記のように構成された第１の操作体１７は電子基板１２における挿入孔１２ａの左側に配置される。第１の操作体１７が電子基板１２に配置された状態においては、装着部１９、１９、１９の第１の空間１９ｆ、１９ｆ、１９ｆにそれぞれ第１のスイッチ１３、１３、１３が位置され、表示部２２、２２、２２の第２の空間２２ｃ、２２ｃ、２２ｃにそれぞれ第１の発光体１５、１５、１５が位置される。このとき釦部２０、２０、２０の押圧突部２０ｄ、２０ｄ、２０ｄはそれぞれ下面が第１のスイッチ１３、１３、１３の上面に近接して位置される。
【００６５】
電子基板１２には挿入孔１２ａの右側に第２の操作体２５が配置される。第２の操作体２５は左右方向において連結された二つの操作釦２６、２６を有している（図７及び図８参照）。
【００６６】
操作釦２６は装着部２７と釦部２８を有している。
【００６７】
装着部２７はゴム材料、例えば、透明又は半透明のシリコンゴムによって形成されている。装着部２７は、略円板状のベース部２７ａと、ベース部２７ａの外周寄りの部分から上方へ突出されたリブ部２７ｂと、ベース部２７ａにおけるリブ部２７ｂの内側の部分から上方へ突出された周面部２７ｃと、周面部２７ｃの上端部から内方へ張り出された内フランジ部２７ｄとから成る。装着部２７には内フランジ部２７ｄの内側に突部挿通孔２７ｅが形成されている。
【００６８】
装着部２７、２７はそれぞれベース部２７ａ、２７ａが左右方向において連結部２９によって連結されている。装着部２７、２７のベース部２７ａ、２７ａからはそれぞれ連結部２９と同じ厚みを有する突状部３０、３０が側方へ向けて突出されている。
【００６９】
一方の突状部３０からは突部３１が側方へ向けて突出されている。
【００７０】
突部３１の先端面からは上方へ向けて表示部３２が突出されている。表示部３２は台座部３２ａと台座部３２ａの上面における外周部を除いた部分から上方へ突出された表示用突部３２ｂとから成る。表示用突部３２ｂは上方へ行くに従って径が小さくなる円錐台形状に形成されている。
【００７１】
装着部２７の内部には下方に開口された第１の空間２７ｆが形成され、表示部３２の内部には下方に開口された第２の空間３２ｃが形成されている（図９参照）。
【００７２】
装着部２７、２７、連結部２９、突状部３０、３０、突部３１及び表示部３２は一体に形成され、ゴム材料、例えば、透明又は半透明のシリコンゴムによって形成されている。
【００７３】
釦部２８は、例えば、樹脂材料によって形成され、図７乃至図９に示すように、円板状の被操作部２８ａと被操作部２８ａの外周部から下方へ突出された周状部２８ｂと周状部２８ｂの下端部から外方へ張り出されたフランジ部２８ｃと被操作部２８ａの中央部から下方へ突出された押圧突部２８ｄとから成る。
【００７４】
釦部２８、２８はそれぞれフランジ部２８ｃ、２８ｃの下面が装着部２７、２７のベース部２７ａ、２７ａにおけるリブ部２７ｂ、２７ｂの内側の部分の上面に、例えば、接着されることにより結合される（図９参照）。釦部２８、２８がそれぞれ装着部２７、２７に結合された状態においては、釦部２８、２８の押圧突部２８ｄ、２８ｄがそれぞれ装着部２７、２７の突部挿通孔２７ｅ、２７ｅから下方へ突出される。
【００７５】
上記のように構成された第２の操作体２５は電子基板１２における挿入孔１２ａの右側に配置される。第２の操作体２５が電子基板１２に配置された状態においては、装着部２７、２７の第１の空間２７ｆ、２７ｆにそれぞれ第２のスイッチ１４、１４が位置され、表示部３２の第２の空間３２ｃに第２の発光体１６が位置される。このとき釦部２８、２８の押圧突部２８ｄ、２８ｄはそれぞれ下面が第２のスイッチ１４、１４の上面に近接して位置される。
【００７６】
［操作体の配置状態］
上記のように構成されたアクティブスピーカー１において、電子基板１２がパネル部５に下方から取り付けられ、パネル部５が本体ケース４の上面部６に取り付けられる（図２及び図３参照）。電子基板１２のパネル部５への取付及びパネル部５の上面部６への取付は、例えば、ネジ止めや接着等の適宜の手段によって行われる。このときパネル部５の配置用穴５ａが形成された部分は電子基板１２の挿入孔１２ａ及び本体ケース４の連通孔６ａに挿入される。
【００７７】
電子基板１２がパネル部５に取り付けられた状態においては、図６及び図９に示すように、パネル部５の第１の配置孔５ｂ、５ｂ、５ｂにそれぞれ第１の操作体１７の釦部２０、２０、２０が配置され、パネル部５の第２の配置孔５ｃ、５ｃにそれぞれ第２の操作体２５の釦部２８、２８が配置される。また、パネル部５の第１の表示用孔５ｄ、５ｄ、５ｄにはそれぞれ第１の操作体１７の表示部２２、２２、２２の表示用突部２２ｂ、２２ｂ、２２ｂが配置され、パネル部５の第２の表示用孔５ｅには第２の操作体１７の表示部３２の表示用突部３２ｂが配置される。
【００７８】
電子基板１２がパネル部５に取り付けられた状態においては、図６に示すように、パネル部５の一部によって第１の操作体１７の装着部１９、１９、１９におけるベース部１９ａ、１９ａ、１９ａ、突部２１、２１、２１及び表示部２２、２２、２２の台座部２２ａ、２２ａ、２２ａが下方へ押圧される。従って、第１の操作体１７の下面が電子基板１２の対向面１２ｂに押し付けられて密着され、ベース部１９ａ、１９ａ、１９ａの上面、突部２１、２１、２１の上面及び台座部２２ａ、２２ａ、２２ａの上面がパネル部５の内面５ｆに押し付けられて密着される。
【００７９】
また、電子基板１２がパネル部５に取り付けられた状態においては、図９に示すように、パネル部５の一部によって第２の操作体２５の装着部２７、２７におけるベース部２７ａ、２７ａ、突部３１及び表示部３２の台座部３２ａが下方へ押圧される。従って、第２の操作体２５の下面が電子基板１２の対向面１２ｂに押し付けられて密着され、ベース部２７ａ、２７ａの上面、突部３１の上面及び台座部３２ａの上面がパネル部５の内面５ｆに押し付けられて密着される。
【００８０】
上記のように、パネル部５が上面部６に取り付けられた状態において、ゴム材料によって形成された装着部１９、１９、１９、２７、２７等が電子基板１２の対向面１２ｂとパネル部５の内面５ｆとに密着されることにより、筐体２の内部空間が密閉される。また、第１の音声出力部８、８及び第２の音声出力部９からの音声の出力時に発生する振動が装着部１９、１９、１９、２７、２７によって抑制される。
【００８１】
筐体２には化粧板３がパネル部５を上方から覆うようにして、例えば、接着により取り付けられる。化粧板３が筐体２に取り付けられた状態においては、図６及び図９に示すように、化粧板３の第１の挿通孔３ｃ、３ｃ、３ｃにそれぞれ第１の操作体１７の釦部２０、２０、２０が挿入されて配置され、化粧板３の第２の挿通孔３ｄ、３ｄにそれぞれ第２の操作体２５の釦部２８、２８が挿入されて配置される。また、化粧板３の第１の表示用挿通孔３ｅ、３ｅ、３ｅにはそれぞれ第１の操作体１７の表示部２２、２２、２２の表示用突部２２ｂ、２２ｂ、２２ｂが挿入されて配置され、化粧板３の第２の表示用挿通孔３ｆには第２の操作体２５の表示部３２の表示用突部３２ｂが挿入されて配置される。
【００８２】
化粧板３の装着用穴３ａにはデジタルミュージックプレイヤー（ＤＭＰ）１００が装着され、装着されたデジタルミュージックプレイヤー１００の図示しない接続端子がコネクター１１に接続される。
【００８３】
［アクティブスピーカーにおける動作］
操作釦１８、１８、１８の釦部２０、２０、２０が押圧操作されると、それぞれベース部１９ａ、１９ａ、１９ａが弾性変形されて押圧突部２０ｄ、２０ｄ、２０ｄが下方へ移動され、押圧突部２０ｄ、２０ｄ、２０ｄによって第１のスイッチ１３、１３、１３が押圧されて所定の機能が実行される。このとき第１のスイッチ１３、１３、１３に対する押圧に伴ってそれぞれ第１の発光体１５、１５、１５が発光され、光がそれぞれ表示部２２、２２、２２の表示用突部２２ｂ、２２ｂ、２２ｂから出射されて点灯状態が視認され、所定の機能の実行状態の確認が可能となる。
【００８４】
また、同様に、操作釦２６、２６の釦部２８、２８が押圧操作されると、それぞれベース部２７ａ、２７ａが弾性変形されて押圧突部２８ｄ、２８ｄが下方へ移動され、押圧突部２８ｄ、２８ｄによって第２のスイッチ１４、１４が押圧されて所定の機能が実行される。このとき第２のスイッチ１４、１４に対する押圧に伴って第２の発光体１６が発光され、光が表示部３２の表示用突部３２ｂから出射されて点灯状態が視認され、所定の機能の実行状態の確認が可能となる。
【００８５】
尚、操作釦１８、１８、１８及び操作釦２６、２６が押圧操作されたときの上記した所定の機能としては、例えば、電源のオンオフや音量の調整等の機能である。従って、操作釦１８、１８、１８又は操作釦２６、２６に対する操作によって、デジタルミュージックプレイヤー１００から出力される音声が、第１の音声出力部８、８及び第２の音声出力部９から出力され、また、その音量が調整される。
【００８６】
［操作体の変形例］
以下に、変形例に係る第３の操作体１７Ａについて説明する（図１０参照）。
【００８７】
尚、第３の操作体１７Ａは、上記した第１の操作体１７と比較して、装着部の形状及び釦部の形状が異なることのみが相違するため、第１の操作体１７と比較して異なる部分についてのみ詳細に説明をし、その他の部分については第１の操作体１７における同様の部分に付した符号と同じ符号を付して説明は省略する。
【００８８】
第３の操作体１７Ａは操作釦１８Ａを有している。操作釦１８Ａは装着部１９Ａと釦部２０Ａを有している。
【００８９】
装着部１９Ａはゴム材料、例えば、透明又は半透明のシリコンゴムによって形成されている。装着部１９Ａは、ベース部１９ａと、リブ部１９ｂと、周面部１９ｃと、内フランジ部１９ｄと、内フランジ部１９ｄの内側の端部から下方へ突出された内周部１９ｇと、内周部１９ｇの下端部に連続し上下方向を向く円板状の受け面部１９ｈとから成る。
【００９０】
釦部２０Ａは、例えば、樹脂材料によって形成され、被操作部２０ａと周状部２０ｂとフランジ部２０ｃと被操作部２０ａの中央部から下方へ突出された押圧突部２０ｅとから成る。
【００９１】
釦部２０Ａはフランジ部２０ｃの下面が装着部１９Ａのベース部１９ａにおけるリブ部１９ｂの内側の部分の上面に、例えば、接着されることにより結合される。釦部２０Ａが装着部１９Ａに結合された状態においては、釦部２０Ａの押圧突部２０ｅが装着部１９Ａの受け面部１９ｈの上面に接した状態とされる。
【００９２】
上記のように構成された第３の操作体１７Ａは、装着部１９Ａの受け面部１９ｈの下面がスイッチ１３Ａの上面に接した状態で位置される。尚、スイッチ１３Ａは第１のスイッチ１３より高さが高い大型のスイッチであり、第１の音声出力部８、８及び第２の音声出力部９からの音声の出力時に振動が発生し易い。
【００９３】
操作釦１８Ａの釦部２０Ａが押圧操作されると、ベース部１９ａが弾性変形されて押圧突部２０ｅが受け面部１９ｈと一体になって下方へ移動され、受け面部１９ｈを介して押圧突部２０ｄによってスイッチ１３Ａが押圧されて所定の機能が実行される。このときスイッチ１３Ａに対する押圧に伴って第１の発光体１５が発光され、光が表示部２２の表示用突部２２ｂから出射されて点灯状態が視認され、所定の機能の実行状態の確認が可能となる。
【００９４】
上記のように、第３の操作体１７Ａには装着部１９Ａに、スイッチ１３Ａの上面に接する受け面部１９ｈが設けられている。
【００９５】
従って、大型のスイッチ１３Ａをゴム材料によって形成された受け面部１９ｈにより押さえることにより、スイッチ１３Ａに発生する振動を抑制することができる。
【００９６】
尚、第３の操作体１７Ａは、第１の操作体１７又は第２の操作体２５に代えて用いることが可能であり、また、第１の操作体１７と第２の操作体２５の双方に代えて用いることも可能である。
【００９７】
［その他］
上記には、釦部２０、２８、２０Ａとゴム材料によって形成された装着部１９、２７、１９Ａとが各別に形成された操作釦１８、２６、１８Ａを例として示したが、釦部２０、２８、２０Ａと装着部１９、２７、１９Ａをゴム材料によって一体に形成することも可能である。
【００９８】
釦部２０、２８、２０Ａと装着部１９、２７、１９Ａをゴム材料によって一体に形成することにより、部品点数の削減を図ることができる。また、釦部２０、２８、２０Ａと装着部１９、２７、１９Ａを各別に形成する必要がないため、第１の操作体１７と第２の操作体２５と第３の操作体１７Ａの成形性の向上を図ることができると共に釦部２０、２８、２０Ａの装着部１９、２７、１９Ａに対する結合作業が不要となり製造コストの低減を図ることができる。
【００９９】
［まとめ］
以上に記載した通り、アクティブスピーカー１にあっては、操作釦１８、２６、１８Ａにそれぞれゴム材料によって形成された装着部１９、２７、１９Ａを設け、装着部１９、２７、１９Ａがそれぞれパネル部５の内面５ｆと電子基板１２の対向面１２とに密着され、筐体２の内部空間が密閉されるようにしている。
【０１００】
従って、筐体２の内部空間における密閉性の向上や振動の抑制を図るために、筐体２と電子基板１２の隙間に接着剤を塗布したり筐体２と操作釦１２の間に不織布等のクッションを貼付する必要がなく、作業時間の増加を来たすことなく音質の向上を図ることができる。
【０１０１】
また、第１の音声出力部８、８及び第２の音声出力部９からの音声の出力時に発生する振動がそれぞれ装着部１９、２７、１９Ａによって抑制されるため、音質の一層の向上を図ることができる。
【０１０２】
さらに、装着部１９、２７、１９Ａがそれぞれパネル部５の内面５ｆと電子基板１２の対向面１２ｂとに密着されることにより筐体２の内部空間が密閉されるため、筐体２の内部空間を二重構造とする必要がなく、アクティブスピーカー１の大型化を来たすことなく音質の向上を図ることができる。
【０１０３】
アクティブスピーカー１にあっては、操作釦１８、２６、１８Ａに、それぞれ装着部１９、２７、１９Ａに連続された表示部２２、３２、２２が装着部１９、２７、１９Ａと一体に設けられている。従って、操作釦１８、２６、１８Ａとは別の専用の表示部を設ける必要がなく、部品点数の削減及びアクティブスピーカー１の構造の簡素化を図ることができる。
【０１０４】
また、操作釦１８、２６、１８Ａの表示部２２、３２、２２がそれぞれパネル部５の内面５ｆと電子基板１２の対向面１２ｂとに密着されるため、筐体２の内部空間の一層の密閉性の向上を図ることができる。
【０１０５】
さらに、アクティブスピーカー１にあっては、複数の操作釦１８、２６、１８Ａがそれぞれ連結部２３、２９、２３によって連結された第１の操作体１７と第２の操作体２５と第３の操作体１７Ａを設けている。従って、操作釦１８、２６、１８Ａをそれぞれ単一で形成する必要がなく、部品点数の削減及び成形性の向上を図ることができる。
【０１０６】
加えて、アクティブスピーカー１にあっては、第１の操作体１７と第２の操作体２５と第３の操作体１７Ａがそれぞれ電子基板１２の長手方向（左右方向）に離隔して配置され、操作釦１８、１８、１８（１８Ａ、１８Ａ、１８Ａ）と操作釦２６、２６（１８Ａ、１８Ａ）がそれぞれ電子基板１２の長手方向に離隔して配置される構成とされている。
【０１０７】
従って、電子基板１２の長手方向における傾きの発生が抑制され、電子基板１２の傾きによる振動の発生を防止することができる。
【０１０８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１０９】
【図１】図２乃至図１０と共に本発明の実施の形態を示すものであり、本図は、アクティブスピーカーをデジタルミュージックプレイヤーとともに示す斜視図である。
【図２】アクティブスピーカーの分解斜視図である。
【図３】アクティブスピーカーの概略断面図である。
【図４】第１の操作体の拡大斜視図である。
【図５】第１の操作体の拡大分解斜視図である。
【図６】第１の操作体が配置された状態を示す拡大断面図である。
【図７】第２の操作体の拡大斜視図である。
【図８】第２の操作体の拡大分解斜視図である。
【図９】第２の操作体が配置された状態を示す拡大断面図である。
【図１０】第３の操作体が配置された状態を示す拡大断面図である。
【符号の説明】
【０１１０】
１…アクティブスピーカー、２…筐体、５…パネル部、５ｂ…第１の配置孔、５ｃ…第２の配置孔、５ｄ…第１の表示用孔、５ｅ…第２の表示用孔、５ｆ…内面、８…第１の音声出力部、９…第２の音声出力部、１２…電子基板、１２ｂ…対向面、１３…第１のスイッチ、１４…第２のスイッチ、１７…第１の操作体、１８…操作釦、１９…装着部、２０…釦部、２２…表示部、２５…第２の操作体、２６…操作釦、２７…装着部、２８…釦部、３２…表示部、１７Ａ…第３の操作体、１８Ａ…操作釦、１９Ａ…装着部、２０Ａ…釦部、１３Ａ…第１のスイッチ
【図１】
2012054748.tif 000003
【図２】
2012054748.tif 000004
【図３】
2012054748.tif 000005
【図４】
2012054748.tif 000006
【図５】
2012054748.tif 000007
【図６】
2012054748.tif 000008
【図７】
2012054748.tif 000009
【図８】
2012054748.tif 000010
【図９】
2012054748.tif 000011
【図１０】
2012054748.tif 000012